(57)【特許請求の範囲】
【請求項１】
利用者を被写体として撮影する、横向きで装置の内部に取り付けられたカメラと、前記カメラにより撮影された画像に基づいてライブビューを前記利用者に対して表示する表示部とを備える撮影装置において、
前記カメラにより撮影された垂直方向の画素数より水平方向の画素数が多い画像から、前記利用者の人数が多いほど垂直方向の画素数に対する水平方向の画素数の比が大きい、前記利用者の人数に応じた範囲をトリミングにより切り出すトリミング処理部と、
前記トリミング処理部により切り出された範囲の画像に基づいて、記憶する静止画像より画角が狭く、左右の縁の内側に、前記縁に沿って所定の幅の帯画像を付加した画像からなる前記ライブビュー、または、前記静止画像と同じ画角であり、左右の縁の内側に、前記縁に沿って所定の幅の前記帯画像を付加した画像からなる前記ライブビューを表示させる表示制御部と、
前記ライブビューを表示させた後の所定のタイミングで撮影された画像から前記トリミング処理部により切り出された画像を前記静止画像として記憶する記憶部と
を備える撮影装置。
【請求項２】
前記表示制御部は、さらに、上下の縁のうちの少なくとも一方の縁に沿って前記帯画像を付加する
請求項１に記載の撮影装置。
【請求項３】
前記帯画像は、所定の透過率を有する色付きの画像である
請求項１または２に記載の撮影装置。
【請求項４】
前記表示制御部は、前記複数の利用者の人数と同じ数の顔の位置を指定する画像である位置指定画像を、前記複数の利用者の画像に重ねて前記ライブビューを表示させる
請求項１乃至３のいずれかに記載の撮影装置。
【請求項５】
前記位置指定画像は、顔の輪郭を表す枠の画像、顔領域近傍以外に所定の透過率を有する色付きの画像、または、十字画像である
請求項４に記載の撮影装置。
【請求項６】
前記表示制御部は、前記ライブビューの左右の両辺から中央に向かう矢印の画像をそれぞれ左右に付加した、前記静止画像と同じ画角の画像からなる前記ライブビューを表示させる
請求項１乃至５のいずれかに記載の撮影装置。
【請求項７】
前記複数の利用者が撮影を行う空間には、前記複数の利用者の人数に応じて、大きさと前記カメラまでの距離が異なる複数の区画が形成された床材が設けられる
請求項１乃至６のいずれかに記載の撮影装置。
【請求項８】
前記区画は、前記カメラの光軸方向に対して長手方向が略垂直に交わる略長方形の区画であり、
少ない人数用の前記区画は、長手方向の長さがより長い、多い人数用の前記区画より前記カメラに近い位置に形成される
請求項７に記載の撮影装置。
【請求項９】
利用者を被写体として撮影する、横向きで装置の内部に取り付けられたカメラと、前記カメラにより撮影された画像に基づいてライブビューを前記利用者に対して表示する表示部とを備える撮影装置の撮影方法において、
前記カメラにより撮影された垂直方向の画素数より水平方向の画素数が多い画像から、前記利用者の人数が多いほど垂直方向の画素数に対する水平方向の画素数の比が大きい、前記利用者の人数に応じた範囲をトリミングにより切り出し、
切り出した範囲の画像に基づいて、記憶する静止画像より画角が狭く、左右の縁の内側に、前記縁に沿って所定の幅の帯画像を付加した画像からなる前記ライブビュー、または、前記静止画像と同じ画角であり、左右の縁の内側に、前記縁に沿って所定の幅の前記帯画像を付加した画像からなる前記ライブビューを表示させ、
前記ライブビューを表示させた後の所定のタイミングで撮影された画像から前記トリミングにより切り出された画像を前記静止画像として記憶する
ステップを含む撮影方法。
【発明の詳細な説明】
【技術分野】
【０００１】
本発明は、撮影装置および撮影方法に関し、特に、複数の利用者の顔付近がバランスよく写る画像を撮影することができるようにした撮影装置および撮影方法に関する。
【背景技術】
【０００２】
利用者を撮影し、撮影画像に対して利用者に編集を行わせ、編集後の画像をシール紙に印刷して提供する写真シール作成装置が知られている。このような写真シール作成装置はゲームセンターなどの娯楽（遊戯）施設等に設置される。
【０００３】
写真シール作成装置による撮影は、被写体としての利用者の画像に対して、背景や前景となる合成用画像を合成した画像を取得するようにして行われる。合成用画像を綺麗に合成するためには、利用者の配置等の構図が極めて重要となる。
【０００４】
そこで、利用者を適切な配置で撮影するための技術が各種提案されている。例えば特許文献１には、撮影時、合成用画像と利用者の画像を合成した画像をライブビューによって表示し、その合成した画像上に利用者の配置位置を点線等で表示することによって、利用者を最適な立ち位置に誘導する技術が開示されている。全身の輪郭を表す点線に自分の体が収まるように、利用者はライブビューを見ながら立ち位置を移動することになる。
【０００５】
また、特許文献２には、利用者の画像と合成用画像を合成した画像をライブビューによって表示させた後、適切な立ち位置のモデルが被写体として写るサンプル画像を表示させることによって立ち位置やポーズを誘導する技術が開示されている。合成用画像が合成されていない画像をサンプル画像として表示することによって、合成済みの画像だけを見せる場合に較べて立ち位置をイメージしやすくするようになっている。
【先行技術文献】
【特許文献】
【０００６】
【特許文献１】特開２００５−２９５１６３号公報
【特許文献２】特開２０１０−１０２１９８号公報
【発明の概要】
【発明が解決しようとする課題】
【０００７】
特許文献１および２に開示された技術においては、利用者の全身の配置を誘導するようになされているが、身長などの利用者の体格を考慮していない。従って、最適な位置として想定した位置に利用者を誘導できたとしても、利用者の体格によって画像上でのバランスが変わり、見栄えのよくない画像になってしまうことがあった。
【０００８】
本発明はこのような状況に鑑みてなされたものであり、複数の利用者の顔付近がバランスよく写る画像を撮影することができるようにするものである。
【課題を解決するための手段】
【０００９】
本発明の撮影装置は、利用者を被写体として撮影する、横向きで装置の内部に取り付けられたカメラと、前記カメラにより撮影された画像に基づいてライブビューを前記利用者に対して表示する表示部とを備える撮影装置において、前記カメラにより撮影された垂直方向の画素数より水平方向の画素数が多い画像から、前記利用者の人数が多いほど垂直方向の画素数に対する水平方向の画素数の比が大きい、前記利用者の人数に応じた範囲をトリミングにより切り出すトリミング処理部と、前記トリミング処理部により切り出された範囲の画像に基づいて、記憶する静止画像より画角が狭く、左右の縁の内側に、前記縁に沿って所定の幅の帯画像を付加した画像からなる前記ライブビュー、または、前記静止画像と同じ画角であり、左右の縁の内側に、前記縁に沿って所定の幅の前記帯画像を付加した画像からなる前記ライブビューを表示させる表示制御部と、前記ライブビューを表示させた後の所定のタイミングで撮影された画像から前記トリミング処理部により切り出された画像を前記静止画像として記憶する記憶部とを備える。
【００１２】
前記表示制御部には、さらに、上下の縁のうちの少なくとも一方の縁に沿って前記帯画像を付加させることができる。
【００１３】
前記帯画像を、所定の透過率を有する色付きの画像とすることができる。
【００１４】
前記表示制御部には、前記複数の利用者の人数と同じ数の顔の位置を指定する画像である位置指定画像を、前記複数の利用者の画像に重ねて前記ライブビューを表示させることができる。
【００１５】
前記位置指定画像を、顔の輪郭を表す枠の画像、顔領域近傍以外に所定の透過率を有する色付きの画像、または、十字画像とすることができる。
【００１６】
前記表示制御部には、前記ライブビューの左右の両辺から中央に向かう矢印の画像をそれぞれ左右に付加した、前記静止画像と同じ画角の画像からなる前記ライブビューを表示させることができる。
【００１９】
前記複数の利用者が撮影を行う空間に、前記複数の利用者の人数に応じて、大きさと前記カメラまでの距離が異なる複数の区画が形成された床材が設けられるようにすることができる。
【００２０】
前記区画は、前記カメラの光軸方向に対して長手方向が略垂直に交わる略長方形の区画であり、少ない人数用の前記区画を、長手方向の長さがより長い、多い人数用の前記区画より前記カメラに近い位置に形成することができる。
【００２１】
本発明の撮影方法は、利用者を被写体として撮影する、横向きで装置の内部に取り付けられたカメラと、前記カメラにより撮影された画像に基づいてライブビューを前記利用者に対して表示する表示部とを備える撮影装置の撮影方法において、前記カメラにより撮影された垂直方向の画素数より水平方向の画素数が多い画像から、前記利用者の人数が多いほど垂直方向の画素数に対する水平方向の画素数の比が大きい、前記利用者の人数に応じた範囲をトリミングにより切り出し、切り出した範囲の画像に基づいて、記憶する静止画像より画角が狭く、左右の縁の内側に、前記縁に沿って所定の幅の帯画像を付加した画像からなる前記ライブビュー、または、前記静止画像と同じ画角であり、左右の縁の内側に、前記縁に沿って所定の幅の前記帯画像を付加した画像からなる前記ライブビューを表示させ、前記ライブビューを表示させた後の所定のタイミングで撮影された画像から前記トリミングにより切り出された画像を前記静止画像として記憶するステップを含む。
【００２２】
本発明においては、前記カメラにより撮影された垂直方向の画素数より水平方向の画素数が多い画像から、前記利用者の人数が多いほど垂直方向の画素数に対する水平方向の画素数の比が大きい、前記利用者の人数に応じた範囲がトリミングにより切り出され、切り出された範囲の画像に基づいて、記憶する静止画像より画角が狭く、左右の縁の内側に、前記縁に沿って所定の幅の帯画像を付加した画像からなる前記ライブビュー、または、前記静止画像と同じ画角であり、左右の縁の内側に、前記縁に沿って所定の幅の前記帯画像を付加した画像からなる前記ライブビューが表示される。また、前記ライブビューを表示させた後の所定のタイミングで撮影された画像から前記トリミングにより切り出された画像が前記静止画像として記憶される。
【発明の効果】
【００２３】
本発明によれば、複数の利用者の顔付近がバランスよく写る画像を撮影することができる。すなわち、被写体の顔が大きく、近づいた状態で撮影されることで、最適な画像を取得することができる。
【図面の簡単な説明】
【００２４】
【図１】写真シール作成装置の外観の構成例を示す斜視図である。
【図２】写真シール作成装置の外観の構成例を示す他の斜視図である。
【図３】写真シール作成ゲームの流れを示す図である。
【図４】撮影部の正面の構成例を示す図である。
【図５】撮影・表示ユニットを拡大して示す図である。
【図６】背景部の撮影空間側の構成例を示す図である。
【図７】床材の平面図である。
【図８】編集部の正面側の構成例を示す図である。
【図９】事後接客部の構成例を示す図である。
【図１０】写真シール作成装置の内部の構成例を示すブロック図である。
【図１１】制御部の機能構成例を示すブロック図である。
【図１２】写真シール作成装置の処理について説明するフローチャートである。
【図１３】図１２のステップＳ２において行われる撮影処理について説明するフローチャートである。
【図１４】コース選択画面の例を示す図である。
【図１５】２人用コースが選択された場合のトリミングの例を示す図である。
【図１６】トリミングの他の例を示す図である。
【図１７】ライブビューの第１の例を示す図である。
【図１８】ライブビューの第２の例を示す図である。
【図１９】ライブビューの第３の例を示す図である。
【図２０】ライブビューの第４の例を示す図である。
【図２１】ライブビューの第５の例を示す図である。
【図２２】ライブビューの第６の例を示す図である。
【図２３】ライブビューの第７の例を示す図である。
【図２４】２人用コースにおける撮影画面の例を示す図である。
【図２５】２人用コースにおける撮影画面の他の例を示す図である。
【図２６】３人用コースが選択された場合のトリミングの例を示す図である。
【図２７】３人用コースにおけるライブビューの例を示す図である。
【図２８】３人用コースにおける撮影画面の例を示す図である。
【図２９】３人用コースにおける撮影画面の他の例を示す図である。
【図３０】４人用ワイドコースが選択された場合のトリミングの例を示す図である。
【図３１】４人用ワイドコースにおけるライブビューの例を示す図である。
【図３２】４人用ワイドコースにおける撮影画面の例を示す図である。
【図３３】４人用ワイドコースにおける撮影画面の他の例を示す図である。
【図３４】画像処理の例を示す図である。
【図３５】シールレイアウトの選択画面の例を示す図である。
【図３６】２人用コース選択時のシールレイアウトの第１の例を示す図である。
【図３７】２人用コース選択時のシールレイアウトの第２の例を示す図である。
【図３８】３人用コース選択時のシールレイアウトの第１の例を示す図である。
【図３９】３人用コース選択時のシールレイアウトの第２の例を示す図である。
【図４０】４人用ワイドコース選択時のシールレイアウトの第１の例を示す図である。
【図４１】４人用ワイドコース選択時のシールレイアウトの第２の例を示す図である。
【発明を実施するための形態】
【００２５】
＜写真シール作成装置の外観構成＞
図１は、写真シール作成装置１の外観の構成例を示す斜視図である。
【００２６】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンター等の店舗に設置される。利用者は１人であることもあるが、主に２人または３人等の複数人である。
【００２７】
写真シール作成装置１が提供するゲームで遊ぶ利用者は、代金を投入し、自身が被写体となって撮影を行い、撮影によって得られた撮影画像の中から選択した編集対象の画像に対して、背景や前景となる合成用画像や手書きの線画やスタンプ画像を合成する編集機能を用いることにより、撮影画像を彩り豊かな画像に編集する。利用者は、編集済みの画像が印刷されたシール紙を受け取って一連のゲームを終了させることになる。
【００２８】
図１に示すように、写真シール作成装置１は、主に、撮影ユニット１１、編集部１２、および事後接客部１３から構成される。撮影ユニット１１と編集部１２が接した状態で設置され、編集部１２の側面に事後接客部１３が設けられる。
【００２９】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３０】
撮影部２１は、利用者を撮影する撮影処理を行う装置である。撮影部２１は、撮影空間に入り、撮影処理を行っている利用者の正面に位置する。撮影空間を正面に臨む面を構成する撮影部２１の正面パネル４１には、撮影処理時に利用者により用いられるタッチパネルモニタ等が設けられる。撮影空間にいる利用者から見て左側の面を左側面、右側の面を右側面とすると、撮影部２１の左側面が側面パネル４２Ａにより構成され、右側面が側面パネル４２Ｂ（図示せず）により構成される。
【００３１】
側面パネル４２Ａには、複数個のＬＥＤ（Light Emitting Diode）が埋め込まれてなるＬＥＤ発光部４２Ｌが設けられている。側面パネル４２Ａの表面には、その全体を覆うように、写真シール作成装置１の製造メーカや、その製造メーカと提携している企業の商品やサービス等の広告が印刷されたアクリル板等から構成されるＰＯＰ広告が装着される。そのＰＯＰ広告のＬＥＤ発光部４２Ｌに対応する部分には、広告として特にアピールされる情報が印刷され、ＬＥＤ発光部４２Ｌの発光によりその情報が強調されるようになる。ＬＥＤ発光部４２Ｌは、図示せぬ側面パネル４２Ｂにも設けられるようにしてもよいし、側面パネル４２Ａ，側面パネル４２Ｂのいずれか一方のみに設けられるようにしてもよい。
【００３２】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図示せず）から構成される。
【００３３】
撮影部２１の左側面を構成する側面パネル４２Ａと背景部２２の側面パネル５２Ａは、ほぼ同一平面に設けられ、それぞれの上部が板状の部材である連結部２３Ａによって、それぞれの下部が、例えば金属製の略コの字型の部材である連結部２３Ａ’によって連結される。また、図示されないが、撮影部２１の右側面を構成する側面パネル４２Ｂと背景部２２の側面パネル５２Ｂは、ほぼ同一平面に設けられ、それぞれの上部が板状の部材である連結部２３Ｂによって、それぞれの下部が、例えば金属製の略コの字型の部材である連結部２３Ｂ’によって連結される。
【００３４】
撮影部２１の側面パネル４２Ａ、連結部２３Ａ、および背景部２２の側面パネル５２Ａに囲まれることによって形成される開口が撮影空間の出入り口Ｇ１となる。図示されないが、撮影部２１の側面パネル４２Ｂ、連結部２３Ｂ、および背景部２２の側面パネル５２Ｂに囲まれることによって形成される開口も撮影空間の出入り口Ｇ２となる。撮影空間の内部には床材２７が設置される。利用者は、撮影空間に入り、床材２７の上に立って撮影を行うことになる。
【００３５】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用される巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００３６】
なお、背景カーテンユニット２５に収納される背景カーテンとしては、複数枚のカーテンを１枚のクロマキー用のカーテンとして使用する昇降式カーテンを用意してもよい。また、クロマキー用のカーテンを予め撮影空間の背面となる背面パネル５１に張り付けるとともに、合成用の背景画像を複数種類用意し、撮影処理や編集処理において、利用者が所望する背景画像をカーテンの部分に合成することができるようにしてもよい。
【００３７】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３８】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタ等の構成が設けられる。
【００３９】
図１に示す編集部１２の構成を正面側の構成とすると、２組の利用者が同時に編集処理を行うことができるように、編集部１２の正面側と背面側には編集処理に用いられる構成がそれぞれ設けられる。
【００４０】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の上方に形成された細幅の水平面上の左側には、柱状の形状を有し、照明装置７４の一端を支持する支持部７３Ａが設けられる。支持部７３Ａの上面にはカーテンレール２６を支持する支持部７５が設けられる。斜面７２の上方に形成された細幅の水平面上の右側にも、照明装置７４の他端を支持する支持部７３Ｂ（図２）が設けられる。
【００４１】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４２】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４３】
図２は、写真シール作成装置１を別の角度から見た斜視図である。
【００４４】
事後接客部１３は事後接客処理を利用者に行わせる装置である。事後接客処理には、撮影画像や編集済みの画像を携帯電話機等の携帯端末に送信する処理、ミニゲームを利用者に行わせる処理、アンケートに答えさせる処理等が含まれる。
【００４５】
図２に示すように、事後接客部１３は、所定の厚さを有する板状の筐体をその一部として有しており、残りの部分は編集部１２の左側面と一体に設けられる。事後接客部１３の正面には、事後接客処理時に利用者により用いられるタブレット内蔵モニタや、撮影画像や編集済みの画像が印刷されたシール紙が排出される排出口等が設けられる。事後接客部１３の正面前方の空間が、シール紙への印刷が終わるのを待っている利用者が事後接客処理を行う事後接客空間となる。
【００４６】
ここで、写真シール作成ゲームの流れと、それに伴う利用者の移動について図３を参照して説明する。図３は、写真シール作成装置１を上から見た平面図である。
【００４７】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタ等を利用して撮影処理を行う。
【００４８】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４９】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示等によって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５０】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５１】
画像の印刷が終了したとき、利用者は、事後接客部１３に設けられた排出口からシール紙を受け取り、一連の写真シール作成ゲームを終えることになる。
【００５２】
＜各装置の構成＞
次に、各装置の構成について説明する。
【００５３】
［撮影ユニットの構成］
図４は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５４】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。
【００５５】
正面パネル４１のほぼ中央には撮影・表示ユニット８１が設けられる。撮影・表示ユニット８１は、カメラ９１、タッチパネルモニタ９２、正面ストロボ９３から構成される。
【００５６】
カメラ９１は、本体とレンズからなる一眼レフカメラであり、レンズ正面のみが露出し、本体が撮影部２１に内蔵した状態で設置される。カメラ９１は、ＣＣＤ(Charge Coupled Device)等の撮像素子を有し、撮影空間Ａ１にいる利用者を撮影する。撮影処理の開始後、カメラ９１により取り込まれた動画像は、カメラ９１の下に設けられたタッチパネルモニタ９２にリアルタイムで表示される。利用者により撮影が指示されたとき等の所定のタイミングでカメラ９１により取り込まれた静止画像は撮影画像として保存される。
【００５７】
図５は、撮影・表示ユニット８１を拡大して示す図である。
【００５８】
撮影・表示ユニット８１の中央より若干上の位置には略正方形の開口部８１Ａが形成され、開口部８１Ａからレンズ正面が露出するように、撮影・表示ユニット８１の内部にカメラ９１が取り付けられる。図５に破線で示すように、カメラ９１は横向きに取り付けられる。カメラ９１により撮影された画像は、垂直方向の画素数より水平方向の画素数の方が多い画像になる。後述するように、カメラ９１により撮影された画像に対してはトリミングが施され、トリミングによって切り出された範囲の画像を用いてタッチパネルモニタ９２にライブビューが表示される。
【００５９】
カメラ９１の下側に設けられたタッチパネルモニタ９２は、ＬＣＤ(Liquid Crystal Display)等のモニタと、それに積層されたタッチパネルにより構成される。タッチパネルモニタ９２は、カメラ９１により取り込まれた動画像を表示するライブビューモニタとしての機能と、各種のＧＵＩ(Graphical User Interface)画像を表示し、利用者の選択操作をタッチパネルにより受け付ける機能とを備えている。タッチパネルモニタ９２には、適宜、撮影結果としての静止画像や、背景等の画像が合成された後の動画像が表示される。
【００６０】
破線で囲んで示すように、カメラ９１とタッチパネルモニタ９２の周りに形成された複数の開口部には透光性を有する乳白アクリル板が嵌め込まれ、これにより正面ストロボ９３が構成される。撮影・表示ユニット８１の内部には、他のストロボと同様にカメラ９１による撮影に合わせて発光する蛍光灯や照明装置が設けられている。照明装置等からの光は乳白アクリル板によって拡散し、利用者の顔付近を正面から照射する。
【００６１】
図４の説明に戻り、正面パネル４１の撮影・表示ユニット８１の上方には上ストロボ８２が設置される。上ストロボ８２は、利用者を上前方から照射する。
【００６２】
ベース部４３には利用者の足元を照射する足元ストロボ８３が設けられる。上ストロボ８２および足元ストロボ８３の内部には蛍光灯が設けられており、天井ストロボユニット２４を構成するストロボの内部の蛍光灯と合わせて、撮影空間Ａ１内の照明として用いられる。
【００６３】
足元ストロボ８３の右側には、利用者がお金を投入する硬貨投入返却口８４が設けられる。
【００６４】
ベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、ＢＧＭ(Back Ground Music)、効果音等の音を出力するスピーカも設けられる。
【００６５】
図６は、背景部２２の撮影空間Ａ１側の構成例を示す図である。
【００６６】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６７】
背面パネル５１の出入り口Ｇ１側の端には、撮影空間Ａ１内で撮影処理を行っている利用者を左後方から照射する背面左ストロボ１０２が取り付けられる。また、背面パネル５１の出入り口Ｇ２側の端には、撮影空間Ａ１内で撮影処理を行っている利用者を右後方から照射する背面右ストロボ１０３が取り付けられる。
【００６８】
図７は、床材２７の平面図である。
【００６９】
板や樹脂よりなる床材２７には、角丸の長方形の区画である区画２７Ａと区画２７Ｂが並べて形成される。例えば区画２７Ａと区画２７Ｂは、床材２７にプリントされることによって、またはシートが貼り付けられることによって形成される。
【００７０】
図７においては、上方向が撮影部２１の設置方向であり、下方向が背景部２２の設置方向である。カメラ９１の位置を基準とした場合、区画２７Ａは、カメラ９１に近い位置に形成され、区画２７Ｂは、カメラ９１から遠い位置に形成される。区画２７Ａの短手方向の長さは、区画２７Ｂの短手方向の長さより若干長く、区画２７Ａの長手方向の長さは、区画２７Ｂの長手方向の長さより短い。区画２７Ａと区画２７Ｂの長手方向は、破線で示すカメラ９１の光軸Ｌと略垂直に交わる。
【００７１】
区画２７Ａの内側には「盛れるzone」の文字がプリントされ、区画２７Ｂの内側には「大人数zone」の文字がプリントされる。後述するように、例えば２人で撮影することを利用者が選択した場合、区画２７Ａの内側に入って撮影することが写真シール作成装置１により案内され、３人以上で撮影することを利用者が選択した場合、区画２７Ｂの内側に入って撮影することが写真シール作成装置１により案内される。撮影位置の案内は、タッチパネルモニタ９２の表示やスピーカからの音声によって行われる。
【００７２】
区画２７Ａからカメラ９１までの距離は、２人の利用者が区画２７Ａ内に立って撮影したときに、２人の利用者の顔付近が所定の大きさで写る距離とされる。同様に、区画２７Ｂからカメラ９１までの距離は、３人以上の利用者が区画２７Ｂ内に立って撮影したときに、その利用者の顔付近が所定の大きさで写る距離とされる。
【００７３】
図７の例においては利用者の人数に応じた立ち位置を示す区画として２つの区画が形成されるものとしたが、３つ以上の区画が形成されるようにしてもよい。この場合、より人数の少ない利用者の立ち位置として案内する区画の方が、大人数の利用者の立ち位置として案内する区画よりカメラ９１に近い位置に形成される。また、より人数の多い利用者の立ち位置として案内する区画の長手方向の長さが、小人数の利用者の立ち位置として案内する区画の長手方向の長さより長くなるように形成される。
【００７４】
［編集部の構成］
図８は、編集部１２の正面側（編集空間Ａ２−１側）の構成例を示す図である。
【００７５】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７６】
タブレット内蔵モニタ１３１は、タッチペン１３２Ａまたは１３２Ｂを用いて操作入力が可能なタブレットがＬＣＤ等のモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００７７】
［事後接客部の構成］
図９は、事後接客部１３の正面側の構成例を示す図である。
【００７８】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤ等のモニタに重畳して設けられることによって構成される。タブレット内蔵モニタ１６１には、ミニゲーム等の事後接客処理に用いられる画面が表示される。
【００７９】
タブレット内蔵モニタ１６１の下にはシール紙排出口１６３が設けられ、タブレット内蔵モニタ１６１の上にはスピーカ１６４が設けられる。
【００８０】
シール紙排出口１６３には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００８１】
スピーカ１６４は、事後接客処理の案内音声、ＢＧＭ、効果音等の音を出力する。
【００８２】
＜写真シール作成装置の内部構成＞
次に、写真シール作成装置１の内部構成について説明する。
【００８３】
図１０は、写真シール作成装置１の内部の構成例を示すブロック図である。上述した構成と同じ構成には同じ符号を付してある。重複する説明については適宜省略する。
【００８４】
制御部２０１はＣＰＵ(Central Processing Unit)等よりなり、ＲＯＭ(Read Only Memory)２０６や記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ(Random Access Memory)２０７が接続される。制御部２０１には、撮影部２０８、編集部２０９Ａ，２０９Ｂ、および事後接客部２１０の各構成も接続される。
【００８５】
記憶部２０２は、ハードディスクやフラッシュメモリ等の不揮発性の記憶媒体からなり、制御部２０１から供給された各種の設定情報を記憶する。記憶部２０２に記憶されている情報は制御部２０１により適宜読み出される。
【００８６】
通信部２０３は、インターネット等のネットワークのインタフェースであり、制御部２０１による制御に従って外部の装置と通信を行う。
【００８７】
ドライブ２０４には、光ディスクや半導体メモリ等よりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８８】
ＲＯＭ２０６には、制御部２０１において実行されるプログラムやデータが記憶されている。ＲＡＭ２０７は、制御部２０１が処理するデータやプログラムを一時的に記憶する。
【００８９】
撮影部２０８は、撮影空間Ａ１における撮影処理を行う構成である硬貨処理部２２１、背景制御部２２２、照明装置２２３、カメラ９１、タッチパネルモニタ９２、およびスピーカ２２４から構成される。
【００９０】
硬貨処理部２２１は、硬貨投入返却口８４に対する硬貨の投入を検出する。硬貨処理部２２１は、例えば４００円等の所定の金額分の硬貨が投入されたことを検出した場合、そのことを表す起動信号を制御部２０１に出力する。
【００９１】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００９２】
照明装置２２３は、撮影空間Ａ１内の各ストロボの内部に設けられる蛍光灯であり、制御部２０１より供給される照明制御信号に従って発光する。上述したように、撮影空間Ａ１には、天井ストロボユニット２４のストロボの他に、撮影部２１に設けられる上ストロボ８２、背景部２２に設けられる背面中央ストロボ１０１、背面左ストロボ１０２、背面右ストロボ１０３が設けられている。
【００９３】
また、照明装置２２３は、制御部２０１による制御に従って発光量を調整することによって、利用者が行っている撮影作業の段階に応じて撮影空間Ａ１内の明るさを調整する。
【００９４】
カメラ９１は、制御部２０１による制御に従って撮影を行い、撮影によって得られた画像を制御部２０１に出力する。
【００９５】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００９６】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９７】
事後接客部２１０は、事後接客空間Ａ３における事後接客処理を行う構成であるタブレット内蔵モニタ１６１、タッチペン１６２Ａ，１６２Ｂ、スピーカ１６４、印刷処理を行う構成であるプリンタ２４１、およびシール紙ユニット２４２から構成される。
【００９８】
プリンタ２４１は、撮影画像、または編集処理によって得られた編集済みの画像を、プリンタ２４１に装着されたシール紙ユニット２４２に収納されているシール紙に印刷し、シール紙排出口１６３に排出する。
【００９９】
図１１は、制御部２０１の機能構成例を示すブロック図である。図１１に示す機能部のうちの少なくとも一部は、制御部２０１内のCPUにより所定のプログラムが実行されることによって実現される。
【０１００】
図１１に示すように、制御部２０１においては、撮影制御部３０１、トリミング処理部３０２、表示制御部３０３、および画像管理部３０４が実現される。編集空間Ａ２−１，Ａ２−２で行われる編集処理を制御する処理部や、事後接客空間Ａ３で行われる事後接客処理を制御する処理部なども制御部２０１おいては適宜実現される。
【０１０１】
撮影制御部３０１は、カメラ９１の動作を制御する。撮影制御部３０１は、ライブビューを表示させるとき、カメラ９１を制御して動画像を撮影する。また、撮影制御部３０１は、静止画像の撮影を行うタイミングになったとき、カメラ９１を制御して静止画像を撮影する。撮影制御部３０１は、撮影によって得られた画像をトリミング処理部３０２に出力する。
【０１０２】
トリミング処理部３０２は、カメラ９１により撮影された画像のトリミングを行う。トリミング処理部３０２は、ライブビューを表示させるとき、カメラ９１により撮影された動画像を構成する各フレームを対象としてトリミングを行い、トリミングによって切り出した画像をライブビュー用の画像として出力する。また、トリミング処理部３０２は、静止画像の撮影時にカメラ９１から供給された画像に対してもトリミングを行い、トリミングにより切り出した範囲の画像を出力する。
【０１０３】
すなわち、写真シール作成装置１においては、カメラ９１によって撮影された画像をそのまま用いるのではなく、トリミングによって切り出された範囲の画像がライブビュー用の画像として、または撮影画像として用いられる。トリミング処理部３０２によるトリミングは、後に詳述するように、利用者の人数によって切り出す範囲（画角）を変えて行われる。
【０１０４】
表示制御部３０３は、撮影処理時におけるタッチパネルモニタ９２の表示を制御する。例えば、表示制御部３０３は、撮影処理の開始直後、利用者の人数の選択画面をタッチパネルモニタ９２に表示させる。また、表示制御部３０３は、トリミング処理部３０２から供給された画像に基づいて、タッチパネルモニタ９２にライブビューを表示させる。表示制御部３０３によるライブビューの表示は、複数の利用者の顔が画像の中央近傍に大きく、かつ寄った状態で写るように位置を誘導するようにして行われる。
【０１０５】
画像管理部３０４は、静止画像の撮影時、トリミング処理部３０２から供給された画像を撮影画像として記憶部２０２に記憶させ、保存する。例えば、１回の撮影処理で保存可能な撮影画像の枚数が利用者の人数によって切り替えられる。
【０１０６】
＜写真シール作成装置の処理＞
次に、図１２のフローチャートを参照して、写真シール作成ゲームを提供する写真シール作成装置１の処理について説明する。
【０１０７】
ステップＳ１において、制御部２０１は、所定の金額分の硬貨が投入されたか否かを硬貨処理部２２１から供給される信号に基づいて判定し、投入されたと判定するまで待機する。
【０１０８】
硬貨が投入されたとステップＳ１において判定した場合、ステップＳ２において、制御部２０１は撮影処理を行う。撮影処理においては、撮影空間Ａ１にいる利用者を被写体とした撮影が行われる。撮影処理の詳細については図１３のフローチャートを参照して後述する。
【０１０９】
ステップＳ３において、制御部２０１は、撮影処理を終えた利用者に対して、編集空間Ａ２−１または編集空間Ａ２−２への移動を案内する。編集空間Ａ２−１または編集空間Ａ２−２への移動の案内は、撮影部２０８のタッチパネルモニタ９２に案内画面を表示させることによって、または音声をスピーカ２２４から出力させることによって行われる。
【０１１０】
ステップＳ４において、制御部２０１は、編集空間Ａ２−１と編集空間Ａ２−２のうち、撮影処理を終えた利用者の移動先とした方の編集空間に対応する編集部を制御し、編集処理を行う。例えば制御部２０１は、タブレット内蔵モニタ１３１に編集画面を表示させ、編集対象として選択された撮影画像に対して、手書きの画像やあらかじめ用意されたスタンプ画像を利用者の操作に応じて合成する。編集対象となる撮影画像は、撮影処理によって得られた静止画像である。制御部２０１は、合成して得られた画像を編集済み画像として出力する。
【０１１１】
また、制御部２０１は、画像の編集が終了したとき、編集画面に代えて、シールレイアウトの選択画面をタブレット内蔵モニタ１３１に表示させる。シールレイアウトの選択画面を用いて、印刷する編集済み画像のシール紙上の配置や数が選択される。
【０１１２】
ステップＳ５において、制御部２０１は、編集処理を終えた利用者に対して事後接客空間Ａ３への移動を案内する。事後接客空間Ａ３への移動の案内は、タブレット内蔵モニタ１３１に案内画面を表示させることによって、または音声をスピーカ２３１から出力させることによって行われる。
【０１１３】
ステップＳ６において、制御部２０１は、編集済み画像をプリンタ２４１に出力し、シール紙に印刷させる処理である印刷処理を開始する。
【０１１４】
ステップＳ７において、制御部２０１は、印刷終了待機中の利用者に対する事後接客処理を行う。制御部２０１は、例えばタブレット内蔵モニタ１６１に表示される開始ボタンが押されたとき、事後接客処理として、撮影画像や編集済み画像を利用者の携帯端末に送信する処理を行う。なお、撮影画像や編集済み画像をサーバー装置（図示せず）に送信し、サーバー装置の記憶部に記憶させ、サーバー装置から利用者の携帯端末に送信するようにしてもよい。
【０１１５】
印刷が終了したとき、ステップＳ８において、制御部２０１は、印刷の終了を通知する画面をタブレット内蔵モニタ１６１に表示させるとともに、画像が印刷されたシール紙をシール紙排出口１６３に排出させる。これにより一連の写真シール作成ゲームが終了する。
【０１１６】
＜撮影処理について＞
ここで、図１３のフローチャートを参照して、図１２のステップＳ２において行われる撮影処理について説明する。
【０１１７】
ステップＳ２１において、表示制御部３０３は、コース選択画面をタッチパネルモニタ９２に表示させる。コース選択画面は、利用者の人数に応じた撮影コースの選択に用いられる画面である。
【０１１８】
図１４は、コース選択画面の例を示す図である。
【０１１９】
コース選択画面の中央上方には「撮りたいコースを選んでね」のメッセージが表示され、メッセージの下方左側には、２人用コースを選択するときに操作される円形のボタンであるコースボタン４０１が表示される。コースボタン４０１の内側には、２人用コースで撮影を行ったときに得られる画像のサンプルが２枚表示される。
【０１２０】
コースボタン４０１の右側には、３人用コースを選択するときに操作される小円形のボタンであるコースボタン４０２と、４人用ワイドコース（４人用の撮影コース）を選択するときに操作される小円形のボタンであるコースボタン４０３が、横方向に位置を若干ずらして縦に並べて表示される。コースボタン４０２の内側には３人用コースで撮影を行ったときに得られる画像のサンプルが１枚表示され、コースボタン４０３の内側には４人用ワイドコースで撮影を行ったときに得られる画像のサンプルが１枚表示される。
【０１２１】
サンプル画像が表示されることにより、利用者はそれぞれの撮影コースによって得られる画像の画角を確認することができる。図１４に示すように、少人数の撮影コースを選択したときに得られる画像より、大人数の撮影コースを選択したときに得られる画像の方が、垂直方向の長さに対する水平方向の長さが長い。
【０１２２】
利用者により選択された撮影コースを表す情報は、撮影制御部３０１、トリミング処理部３０２、表示制御部３０３、および画像管理部３０４の各部に供給される。以下、２人用コースが選択された場合の処理について主に説明する。
【０１２３】
図１３のステップＳ２２において、表示制御部３０３は、立ち位置の案内画面をタッチパネルモニタ９２に表示させる。表示制御部３０３は、２人用コースが選択された場合、区画２７Ａの内側に立つことを案内する画面を表示させ、３人用コースまたは４人用ワイドコースで撮影することが選択された場合、区画２７Ｂの内側に立つことを案内する画面を表示させる。なお、画面表示によって案内するだけに限らず、撮影部２０８内のスピーカ（図示せず）から出力する音声によって案内したり、あるいは、区画２７Ａ、区画２７Ｂに発光体としてＬＥＤを埋め込み、画面表示に対応する区画を光らせて案内したりするようにしてもよい。
【０１２４】
誘導する前後方向の立ち位置を利用者の人数に応じて切り替えることにより、最適な大きさとして想定した大きさで利用者の顔が写る画像を撮影することが可能になる。
【０１２５】
ステップＳ２３において、撮影制御部３０１はカメラ９１を制御し、画像の取り込みを開始する。カメラ９１により撮影された動画像はトリミング処理部３０２に供給される。
【０１２６】
ステップＳ２４において、トリミング処理部３０２は、カメラ９１から供給された動画像を構成する各フレームを対象として、撮影コースに応じた範囲を切り出すようにトリミングを行う。
【０１２７】
図１５は、２人用コースが選択された場合のトリミングの例を示す図である。
【０１２８】
原画像Ｐは、カメラ９１により撮影された画像、すなわちトリミング前の画像である。原画像Ｐは、例えば5184×3456（横×縦）画素の画像である。原画像Ｐには、２人の人物の略胸の位置より上であって、頭頂部より若干上の位置までの範囲が写っている。図１５に示すような大きさで利用者の顔付近が写る位置に区画２７Ａが形成される。
【０１２９】
枠Ｆ１で囲んで示す範囲が、トリミング処理部３０２によるトリミングによって切り出される範囲である。例えば、原画像Ｐの中心位置と同じ位置を中心位置とする3982×3250画素の範囲がトリミングによって切り出される。２人用コースの場合にトリミングによって切り出される範囲の縦：横の比は約1:1.2となる。
【０１３０】
図５を参照して説明したようにカメラ９１は横向きに設置されており、カメラ９１により撮影される原画像Ｐは水平方向の画素数の方が垂直方向の画素数より多い画像である。原画像Ｐを対象としてトリミングを行い、垂直方向の画素数より水平方向の画素数の方が多い枠Ｆ１で囲んで示す範囲を切り出すことにより、図１６に示すように、水平方向の画素数より垂直方向の画素数の方が多い画像Ｐ’を原画像としてトリミングを行う場合に較べて、画質の劣化を防ぐことが可能になる。
【０１３１】
例えば、5184×3456画素の原画像Ｐから3982×3250画素の範囲を切り出す場合、原画像Ｐの約72％の範囲を使うことになるが、3456×5184画素の画像Ｐ’から、枠Ｆ２で囲んで示す水平方向と垂直方向の比がほぼ同じ3000×2500画素の範囲を切り出す場合、画像Ｐ’の約41％の範囲しか使わないことになり、後者の方が、画質が劣化してしまう。
【０１３２】
トリミング処理部３０２においては、このようなトリミングがカメラ９１により撮影された全ての画像を対象として行われる。トリミングによって切り出された範囲の画像であるトリミング画像は表示制御部３０３に供給される。
【０１３３】
ステップＳ２５において、表示制御部３０３は、トリミング画像に基づいてライブビューを表示させる。上述したように、複数の利用者の顔が画像の中央近傍に大きく寄った状態で写るように誘導するライブビューが表示される。
【０１３４】
［ライブビューの第１の例］
図１７は、ライブビューの第１の例を示す図である。
【０１３５】
枠Ｆ１で囲んで示す範囲のトリミング画像がトリミング処理部３０２から供給されたとき、表示制御部３０３は、それより狭い範囲である枠Ｆ３で囲んで示す範囲の画像からなるライブビューを表示させる。枠Ｆ３で囲んで示す範囲の中心位置は、原画像Ｐの中心位置、および枠Ｆ１で囲んで示す範囲の中心位置と同じ位置である。
【０１３６】
ライブビューによって確認できる範囲に自分の顔や頭を収めようとするから、左側の利用者が右方向に顔を寄せ、右側の利用者が左方向に顔を寄せるといったように、２人の利用者は画像の中心に自然と顔を寄せることになる。また、２人の利用者は、腰をかがめるなどして、画像の中心の高さより若干上の位置にくるように顔の高さを調整することになる。
【０１３７】
このようなライブビューによって位置を調整させてから静止画像の撮影を行うことにより、２人の利用者の顔が中央に寄った状態の画像を得ることが可能になる。撮影画像として保存される画像は、枠Ｆ１で囲んで示す範囲の画像である。
【０１３８】
ライブビューの表示に用いる画像の範囲は、利用者の人数（撮影コース）に応じて適宜切り替えられる。
【０１３９】
表示制御部３０３が顔の検出機能を有している場合、検出した顔の大きさや位置に応じて、ライブビューの表示に用いる画像の範囲の大きさや位置が切り替えられるようにしてもよい。例えば、検出した顔がより離れている場合、表示制御部３０３は、より狭い範囲の画像を用いてライブビューを表示させる。
【０１４０】
［ライブビューの第２の例］
図１８は、ライブビューの第２の例を示す図である。
【０１４１】
枠Ｆ１で囲んで示す範囲のトリミング画像がトリミング処理部３０２から供給されたとき、表示制御部３０３は、所定の幅を有する帯画像４１１と帯画像４１２をトリミング画像の左右の縁に沿って利用者の画像に重ねた画像からなるライブビューを表示させる。帯画像４１１と帯画像４１２は、所定の透明度を有する灰色などの色付きの画像である。帯画像４１１と帯画像４１２の下に、利用者の顔や体の一部が透けて現れる。
【０１４２】
帯画像４１１と帯画像４１２に重ならない範囲に自分の顔や頭を収めようとするから、２人の利用者は、画像の中心に自然と顔を寄せることになる。
【０１４３】
このようなライブビューによって位置を調整させてから静止画像の撮影を行うことにより、２人の利用者の顔が中央に寄った状態の画像を得ることが可能になる。帯画像４１１と帯画像４１２の幅は、利用者の人数に応じて適宜切り替えられる。
【０１４４】
表示制御部３０３が顔の検出機能を有している場合、検出した顔の大きさや位置に応じて、帯画像４１１と帯画像４１２の幅が切り替えられるようにしてもよい。例えば、検出した顔がより離れている場合、表示制御部３０３は、より幅の広い帯画像４１１と帯画像４１２を表示させ、水平方向の位置を制限する。
【０１４５】
［ライブビューの第３の例］
図１９は、ライブビューの第３の例を示す図である。
【０１４６】
図１９のライブビューは、帯画像４１１、帯画像４１２の他に、トリミング画像の上の縁に沿って帯画像４１３を利用者の画像に重ねた画像からなるライブビューである。帯画像４１３も所定の透明度を有する灰色などの色付きの画像である。利用者の頭が高い位置にある場合、帯画像４１３の下に、利用者の頭の一部が透けて現れる。
【０１４７】
帯画像４１１と帯画像４１２に重ならない範囲に自分の顔や頭を収めようとするから、２人の利用者は、画像の中心に自然と顔を寄せることになる。また、帯画像４１３に重ならない範囲に自分の顔や頭を収めようとするから、２人の利用者は、腰をかがめるなどして顔の位置を自然と下げることになる。
【０１４８】
このようなライブビューによって左右方向の位置と上方向の位置を制限してから静止画像の撮影を行うことにより、２人の利用者の顔が中央に寄った状態の画像を得ることができるとともに、撮影画像上で顔が上に寄って写ってしまうことを防ぐことが可能になる。
【０１４９】
トリミング画像の下の縁に沿って帯画像を表示させることも可能である。これにより、顔が下方向に寄ってしまうことを防ぐことができる。トリミング画像の下の縁に沿って表示される帯画像と帯画像４１３のうち、前者の帯画像のみが表示されるようにしてもよい。このように左右方向だけではなく上下方向への誘導も行うことによって、例えば、利用者が顔の位置を下方向へ移動しすぎることを防ぎ、顎ラインが切れてしまうことによって例えば小顔処理等の画像処理が困難になるという課題を解消することができる。
【０１５０】
表示制御部３０３が顔の検出機能を有している場合、検出した顔の大きさや位置に応じて、帯画像４１３の幅が切り替えられるようにしてもよい。
【０１５１】
［ライブビューの第４の例］
図２０は、ライブビューの第４の例を示す図である。
【０１５２】
枠Ｆ１で囲んで示す範囲のトリミング画像がトリミング処理部３０２から供給されたとき、表示制御部３０３は、顔の位置を指定する画像である線画像４２１を利用者の画像に重ねた画像からなるライブビューを表示させる。
【０１５３】
線画像４２１は、水平方向の幅がトリミング画像の幅の略１／３の幅を有する２つの逆Ｕ字状が若干の間隔を空けて横に並び、左側の逆Ｕ字状の右端と右側の逆Ｕ字状の左端がトリミング画像のほぼ中央でＵ字状の曲線によって繋がった太線の画像である。逆Ｕ字状は顔や頭の輪郭を表す。左側の逆Ｕ字状の左端はトリミング画像の左端まで略水平方向に延び、右側の逆Ｕ字状の右端はトリミング画像の右端まで略水平方向に延びる。
【０１５４】
例えば音声による案内に従って、左側に写る利用者は自分の頭や顔を左側の逆Ｕ字状に合わせ、右側に写る利用者は自分の頭や顔を右側の逆Ｕ字状に合わせることになる。
【０１５５】
２つの逆Ｕ字状が近い位置に並んで表示されているから、このようなライブビューによって位置を調整させてから静止画像の撮影を行うことにより、２人の利用者の顔が中央に寄った状態の画像を得ることが可能になる。線画像４２１を構成する逆Ｕ字状の数と、逆Ｕ字状の水平方向の幅は、利用者の人数に応じて切り替えられる。なお、背景領域については、ライブビューの第２の例で説明した帯画像と同様に、所定の透過率を有する色付きの画像としてもよい。
【０１５６】
表示制御部３０３が顔の検出機能を有している場合、検出した顔の大きさや位置に応じて、逆Ｕ字状の大きさが切り替えられるようにしてもよい。
【０１５７】
［ライブビューの第５の例］
図２１は、ライブビューの第５の例を示す図である。
【０１５８】
枠Ｆ１で囲んで示す範囲のトリミング画像がトリミング処理部３０２から供給されたとき、表示制御部３０３は、顔の位置を指定する画像であるマスク画像４３１を利用者の画像に重ねた画像からなるライブビューを表示させる。
【０１５９】
マスク画像４３１は、トリミング画像の中央に寄せた２つの縦長楕円形の内側の領域だけが透明であり、それ以外の領域に、所定の透明度を有する灰色などの色を付した画像である。それぞれの縦長楕円形の水平方向の径の長さはトリミング画像の幅の略１／３の幅を有する。ライブビュー上では、利用者の頭や顔のうち、縦長楕円形の内側にある部分だけがマスク画像４３１によって覆われることなく見えることになる。
【０１６０】
マスク画像４３１に重ならない縦長楕円形の範囲に自分の顔や頭を収めようとするから、例えば音声による案内に従って、２人の利用者は、画像の中心に自然と顔を寄せることになる。
【０１６１】
２つの縦長楕円形の範囲が画像の中央近傍で一部重なるように形成されているから、このようなライブビューによって位置を調整させてから静止画像の撮影を行うことにより、２人の利用者の顔が中央に寄った状態の画像を得ることが可能になる。透明な領域である縦長楕円形の数と水平方向の幅は、利用者の人数に応じて切り替えられる。
【０１６２】
表示制御部３０３が顔の検出機能を有している場合、検出した顔の大きさや位置に応じて、縦長楕円形の大きさが切り替えられるようにしてもよい。
【０１６３】
［ライブビューの第６の例］
図２２は、ライブビューの第６の例を示す図である。
【０１６４】
枠Ｆ１で囲んで示す範囲のトリミング画像がトリミング処理部３０２から供給されたとき、表示制御部３０３は、顔の位置を指定する画像である十字画像４４１と十字画像４４２を利用者の画像に重ねた画像からなるライブビューを表示させる。
【０１６５】
十字画像４４１は、トリミング画像の中央を基準として左側、かつ若干上方の位置で縦のラインと横のラインが交叉する十字の画像であり、十字画像４４２は、トリミング画像の中央を基準として右側、若干上方の位置で縦のラインと横のラインが交叉する十字の画像である。十字画像４４１と十字画像４４２は、トリミング画像の水平方向の長さの略１／３に相当する間隔を空けて配置される。
【０１６６】
例えば音声による案内に従って、左側に写る利用者は十字画像４４１が自分の頭や顔の中心にくるように横方向の位置と高さを調整し、右側に写る利用者は十字画像４４２が自分の頭や顔の中心にくるように横方向の位置と高さを調整する。
【０１６７】
十字画像４４１と十字画像４４２が比較的近い位置に並べて表示されているから、このようなライブビューによって位置を調整させてから静止画像の撮影を行うことにより、２人の利用者の顔が中央に寄った状態の画像を得ることが可能になる。十字画像の数と間隔は、利用者の人数に応じて切り替えられる。
【０１６８】
顔の位置を指定する画像として表示される画像は十字形状を有する画像に限られるものではない。丸形、四角形などの各種の形状の画像を顔の位置を指定する画像として用いることが可能である。
【０１６９】
［ライブビューの第７の例］
図２３は、ライブビューの第７の例を示す図である。
【０１７０】
枠Ｆ１で囲んで示す範囲のトリミング画像がトリミング処理部３０２から供給されたとき、表示制御部３０３は、矢印画像４５１と矢印画像４５２を利用者の画像に重ねた画像からなるライブビューを表示させる。
【０１７１】
トリミング画像の左端に表示される矢印画像４５１は右方向を指す矢印の画像であり、トリミング画像の右端に表示される矢印画像４５２は左方向を指す矢印の画像である。
【０１７２】
例えば音声による案内に従って、左側に写る利用者は矢印画像４５１が指す右方向に自分の頭や顔を寄せ、右側に写る利用者は矢印画像４５２が指す左方向に自分の頭や顔を寄せるから、このようなライブビューによって位置を調整させてから静止画像の撮影を行うことにより、２人の利用者の顔が中央に寄った状態の画像を得ることが可能になる。
【０１７３】
表示制御部３０３が顔の検出機能を有している場合、検出した顔の大きさや位置に応じて、矢印画像４５１と矢印画像４５２の長さが切り替えられるようにしてもよい。例えば、検出した顔がより離れている場合、表示制御部３０３は、より長い矢印を表す矢印画像４５１と矢印画像４５２を表示させる。
【０１７４】
以上のような各種のライブビューを用いて、２人の利用者に互いの顔を中央に寄せるための誘導が行われる。ライブビューだけでなく、適宜、２人の利用者に互いの顔を中央に寄せるように誘導するための音声によるアナウンスがスピーカ２２４から出力される。
【０１７５】
顔の大きさは区画２７Ａの内側に立たせることによって適した大きさに調整されるから、ライブビューを用いて横方向の位置を調整させてから静止画像の撮影を行うことにより、画像の中央近傍に適切な大きさで、かつ寄せた状態で写る静止画像を得ることが可能になる。
【０１７６】
全身の位置を誘導して撮影を行う場合、利用者の体格によっては想定した構図と較べてバランスが悪くなってしまうことがあるが、人の顔の大きさは体格差ほど顕著に現れないと考えられる。従って、利用者の体格によらず、常に、顔付近がバランスよく写る画像を得ることができる。
【０１７７】
図２４は、ライブビューを含む撮影画面の例を示す図である。
【０１７８】
撮影画面の中央上方には「撮影するよ！」のメッセージが表示され、その下に、矩形の領域である表示領域４７１が形成される。図２４の例においては、図２１を参照して説明したライブビューが表示領域４７１に表示されている。
【０１７９】
表示領域４７１の下には、表示領域４７１より小さい矩形の領域である撮影結果表示領域４７２−１乃至４７２−６が右から順に横に並べて形成される。１回目の撮影によって得られた撮影画像の縮小画像が撮影結果表示領域４７２−１に表示され、２回目の撮影によって得られた撮影画像の縮小画像が撮影結果表示領域４７２−２に表示されるといったように、撮影結果表示領域４７２−１乃至４７２−６の各領域には、それぞれの撮影によって得られた撮影画像の縮小画像が順に表示される。この例においては、２人用コースを選択した場合、６回の撮影が行われるものとされている。図２４の例においてはまだ撮影が行われていないから、撮影結果表示領域４７２−１乃至４７２−６には画像が表示されていない。
【０１８０】
利用者は、このような撮影画面に表示されるライブビューを見て、自分の頭や顔の位置を調整することになる。図２４に示すような構成を有する撮影画面は、例えば立ち位置の案内画面の表示後、静止画像の撮影が終了するまでタッチパネルモニタ９２に表示される。
【０１８１】
図１３のステップＳ２６において、撮影制御部３０１は、静止画像の撮影タイミングであるか否かを判定する。静止画像の撮影タイミングではないとステップＳ２６において判定した場合、ステップＳ２３に戻り、撮影制御部３０１はライブビュー用の動画像の撮影を続ける。
【０１８２】
静止画像の撮影タイミングであるとステップＳ２６において判定した場合、ステップＳ２７において、撮影制御部３０１は、カメラ９１を制御して静止画像の撮影を行う。カメラ９１により撮影された静止画像はトリミング処理部３０２に供給される。
【０１８３】
ステップＳ２８において、トリミング処理部３０２は、カメラ９１から供給された静止画像を対象として、撮影コースに応じた範囲を切り出すようにトリミングを行う。静止画像を対象としたトリミングもライブビュー用の画像を切り出すためのトリミングと同様にして行われる。トリミング処理部３０２により切り出されたトリミング画像は表示制御部３０３と画像管理部３０４に供給される。
【０１８４】
ステップＳ２９において、表示制御部３０３は撮影結果を撮影画面に表示させる。
【０１８５】
図２５は、撮影結果を含む撮影画面の例を示す図である。
【０１８６】
撮影画面の中央上方には「こんな風に撮れたよ」のメッセージが表示され、その下の表示領域４７１には、１回目の撮影によって得られた撮影画像が表示される。また、表示領域４７１に表示されている撮影画像の縮小画像が撮影結果表示領域４７２−１に表示される。利用者は、表示領域４７１の表示から撮影画像を確認することができる。
【０１８７】
図１３のステップＳ３０において、画像管理部３０４は、トリミング処理部３０２から供給されたトリミング画像を撮影画像として記憶部２０２に記憶させ、保存する。
【０１８８】
ステップＳ３１において、撮影制御部３０１は、撮影終了か否かを判定し、撮影可能枚数が残っていることから撮影終了ではないと判定した場合、ステップＳ２３に戻り、以上の処理を繰り返す。
【０１８９】
例えば６枚の撮影画像を撮影したことから撮影終了であるとステップＳ３１において判定された場合、図１２のステップＳ２に戻り、それ以降の処理が行われる。
【０１９０】
以上のように、撮影処理においては、処理の開始時、利用者の人数に応じた最適な大きさで顔を写すことができる位置を立ち位置とするための案内が行われる。また、ライブビューを用いて、利用者の顔を中央に寄せるような誘導が行われる。これにより、２人の利用者の顔が大きく、かつ顔を寄せた状態の撮影画像を得ることが可能になる。
【０１９１】
図１７乃至図２３を参照して説明した各種の誘導は、それぞれ単独で用いるようにしてもよいし、適宜組み合わせて用いるようにしてもよい。例えば図１７に示すようにライブビューによって表示される範囲を制限した上で、さらに、図１８に示すように帯画像によって左右方向の位置を制限することも可能である。また、図１９に示すように帯画像によって上方向と左右方向の位置を制限した上で、さらに、図２０に示すように線画像を表示して頭や顔の位置を調整させることも可能である。
【０１９２】
［３人用コースが選択された場合の処理］
ここで、コース選択画面（図１３のステップＳ２１）においてコースボタン４０２が押され、３人用コースが選択された場合の処理について説明する。
【０１９３】
３人用コースが選択された場合の処理は、基本的に２人用コースが選択された場合の処理と同様である。３人用コースが選択された場合、立ち位置の案内画面によって、区画２７Ｂの内側を立ち位置とすることが案内される（ステップＳ２２）。
【０１９４】
また、カメラ９１による動画像の撮影が開始され（ステップＳ２３）、動画像を構成する各フレームのトリミングがトリミング処理部３０２により行われる（ステップＳ２４）。
【０１９５】
図２６は、３人用コースが選択された場合のトリミングの例を示す図である。
【０１９６】
原画像Ｐは、カメラ９１により撮影された例えば5184×3456（横×縦）画素の画像である。原画像Ｐには、３人の人物の略胸の位置より上であって、頭頂部より若干上の位置までの範囲が写っている。図２６に示すような大きさで３人の利用者の顔付近が写る位置に区画２７Ｂが形成される。
【０１９７】
枠Ｆ１１で囲んで示す範囲が、トリミング処理部３０２によるトリミングによって切り出される範囲である。例えば、原画像Ｐの中心位置と同じ位置を中心位置とする4426×3250画素の範囲がトリミングによって切り出される。３人用コースの場合にトリミングによって切り出される範囲の縦：横の比は約3:4となる。
【０１９８】
トリミング処理部３０２においては、このようなトリミングがカメラ９１により撮影された全ての画像を対象として行われ、トリミングによって切り出された範囲の画像がライブビューの表示に用いられる（ステップＳ２５）。
【０１９９】
図２７は、図２６に示すようにして切り出された画像を用いて表示されるライブビューの例を示す図である。
【０２００】
図２７のライブビューは、図１８を参照して説明したものと同様に、所定の幅を有する帯画像４８１と帯画像４８２をトリミング画像の左右の縁に沿って利用者の画像に重ねた画像からなるライブビューである。帯画像４８１と帯画像４８２は、所定の透明度を有する灰色などの色付きの画像である。
【０２０１】
帯画像４８１と帯画像４８２に重ならない範囲に自分の顔や頭を収めようとするから、３人の利用者は、画像の中心に自然と顔を寄せることになる。図１８を参照して説明したライブビューだけでなく、図１７、図１９乃至図２３を参照して説明した各種のライブビューを３人用コースの場合に用いることが可能である。
【０２０２】
図２８は、図２７のライブビューを含む撮影画面の例を示す図である。
【０２０３】
図２８に示す撮影画面の構成は、図２４を参照して説明した２人用コースの場合の撮影画面の構成と同じである。撮影画面の中央上方のメッセージの下に形成される表示領域４７１には、図２７に示すライブビューが表示されている。
【０２０４】
３人用コースを選択した利用者は、このような撮影画面に表示されるライブビューを見て、自分の頭や顔の位置を調整することになる。ライブビューを用いて位置の誘導が行われた後、所定のタイミングで静止画像の撮影が行われる（ステップＳ２７）。撮影された静止画像を対象としてトリミングが行われた後（ステップＳ２８）、撮影画面には撮影結果が表示される（ステップＳ２９）。
【０２０５】
図２９は、撮影結果を含む撮影画面の例を示す図である。
【０２０６】
表示領域４７１には、１回目の撮影によって得られた３人の利用者が写っている撮影画像が表示される。また、表示領域４７１に表示されている撮影画像の縮小画像が撮影結果表示領域４７２−１に表示される。利用者は、表示領域４７１の表示から撮影画像を確認することができる。このような撮影画像が保存され（ステップＳ３０）、６回の撮影を終えたとき、処理は終了する（ステップＳ３１）。
【０２０７】
［４人用ワイドコースが選択された場合の処理］
次に、コース選択画面（図１３のステップＳ２１）においてコースボタン４０３が押され、４人用ワイドコースが選択された場合の処理について説明する。
【０２０８】
４人用ワイドコースが選択された場合の処理も、基本的に２人用コースが選択された場合の処理と同様である。４人用ワイドコースが選択された場合、立ち位置の案内画面によって、区画２７Ｂの内側を立ち位置とすることが案内される（ステップＳ２２）。
【０２０９】
また、カメラ９１による動画像の撮影が開始され（ステップＳ２３）、動画像を構成する各フレームのトリミングがトリミング処理部３０２により行われる（ステップＳ２４）。
【０２１０】
図３０は、４人用ワイドコースが選択された場合のトリミングの例を示す図である。
【０２１１】
原画像Ｐは、カメラ９１により撮影された例えば5184×3456（横×縦）画素の画像である。原画像Ｐには、４人の人物の略胸の位置より上であって、頭頂部より若干上の位置までの範囲が写っている。図３０に示すような大きさで４人の利用者の顔付近が写る位置に区画２７Ｂが形成される。
【０２１２】
枠Ｆ２１で囲んで示す範囲が、トリミング処理部３０２によるトリミングによって切り出される範囲である。例えば、原画像Ｐの中心位置より若干上の位置を中心位置とする5084×2800画素の範囲がトリミングによって切り出される。４人用ワイドコースの場合にトリミングによって切り出される範囲の縦：横の比は約9:16となる。
【０２１３】
トリミング処理部３０２においては、このようなトリミングがカメラ９１により撮影された全ての画像を対象として行われ、トリミングによって切り出された範囲の画像がライブビューの表示に用いられる（ステップＳ２５）。
【０２１４】
図３１は、図３０に示すようにして切り出された画像を用いて表示されるライブビューの例を示す図である。
【０２１５】
図３１のライブビューは、図２１を参照して説明したものと同様に、マスク画像４９１を利用者の画像に重ねた画像からなるライブビューである。マスク画像４９１は、トリミング画像の中央に寄せた４つの縦長楕円形の内側の領域だけが透明であり、それ以外の領域に、所定の透明度を有する灰色などの色を付した画像である。
【０２１６】
マスク画像４９１に重ならない範囲に自分の顔や頭を収めようとするから、４人の利用者は、画像の中心に自然と顔を寄せることになる。図２１を参照して説明したライブビューだけでなく、図１７乃至図２０、図２２、および図２３を参照して説明した各種のライブビューを４人用ワイドコースの場合に用いることが可能である。
【０２１７】
図３２は、図３１のライブビューを含む撮影画面の例を示す図である。
【０２１８】
図３２に示す撮影画面の構成は、撮影画像の縮小画像の表示領域として撮影結果表示領域４７２−１乃至４７２−４の４つの矩形領域が表示されている点で、２人用コースまたは３人用コースを選択した場合の撮影画面の構成と異なる。すなわち、この例においては、４人用ワイドコースを選択した場合、４回の撮影が行われるものとされている。
【０２１９】
図３２の撮影画面の中央上方のメッセージの下に形成される表示領域４７１には、図３１に示すライブビューが表示されている。
【０２２０】
４人用ワイドコースを選択した利用者は、このような撮影画面に表示されるライブビューを見て、自分の頭や顔の位置を調整することになる。ライブビューを用いて位置の誘導が行われた後、所定のタイミングで静止画像の撮影が行われる（ステップＳ２７）。撮影された静止画像を対象としてトリミングが行われた後（ステップＳ２８）、撮影画面には撮影結果が表示される（ステップＳ２９）。
【０２２１】
図３３は、撮影結果を含む撮影画面の例を示す図である。
【０２２２】
表示領域４７１には、１回目の撮影によって得られた４人の利用者が写っている撮影画像が表示される。また、表示領域４７１に表示されている撮影画像の縮小画像が撮影結果表示領域４７２−１に表示される。利用者は、表示領域４７１の表示から撮影画像を確認することができる。このような撮影画像が保存され（ステップＳ３０）、４回の撮影を終えたとき、処理は終了する（ステップＳ３１）。
【０２２３】
以上のように、３人用コースまたは４人用ワイドコースを選択した場合も、ライブビューによって、顔付近を画像の中央に寄せるための誘導が行われる。
【０２２４】
以上においては、ライブビューの表示によって顔を画像の中央に寄せるための誘導が行われるものとしたが、そのような誘導を行わず、撮影画像に写る顔が離れている場合に、顔の間の領域を画像処理によって削除して顔を寄せるようにしてもよい。
【０２２５】
図３４は、顔を寄せる画像処理の例を示す図である。
【０２２６】
トリミング処理部３０２は、静止画像の撮影タイミングにおいて撮影された原画像Ｐが供給された場合、枠Ｆ１で囲んで示す範囲をトリミングによって切り出し、切り出した範囲の画像を対象として顔検出を行う。
【０２２７】
例えば、検出した２人の顔が図３４に示すように閾値となる所定の距離以上離れている場合、トリミング処理部３０２は、顔の間の帯状の領域である領域５０１を削除する。また、トリミング処理部３０２は、枠Ｆ１で囲んで示す範囲のうち、領域５０１の左側の画像と領域５０１の右側の画像を結合し、結合して得られた画像を撮影画像として出力する。
【０２２８】
このように、複数の利用者の顔が中央近傍に寄っている画像を画像処理によって得るようにすることも可能である。
【０２２９】
＜シール紙に対するプリントについて＞
［シールレイアウトの選択画面］
図３５は、シールレイアウトの選択画面の例を示す図である。上述したように、撮影画像の編集を終えたユーザは、タブレット内蔵モニタ１３１に表示される選択画面を用いてシールレイアウトの選択を行う。
【０２３０】
図３５の選択画面は、撮影処理の開始時に２人用コースが選択された場合の選択画面の例を示す図である。選択画面の中央上方には「分割数を選んでね」のメッセージが表示され、左下のタブには、２人用コースが選択されていることを表す「２人用」の文字が表示されている。
【０２３１】
選択画面の左側には選択領域５１１−１が形成され、右側には選択領域５１１−２が形成される。タブレット内蔵モニタ１３１に向かって左側に立っている利用者は、タブレット内蔵モニタ１３１の左側に用意されているタッチペン１３２Ａを用い、選択領域５１１−１の表示を操作してシールレイアウトを選択する。また、タブレット内蔵モニタ１３１の右側に立っている利用者は、タブレット内蔵モニタ１３１の右側に用意されているタッチペン１３２Ｂを用い、選択領域５１１−２の表示を操作してシールレイアウトを選択する。
【０２３２】
選択領域５１１−１の左方には、左側の利用者が選択しているシールレイアウトを拡大して表す画像５２３−１が表示される。選択領域５１１−１の右方の領域５２１−１には、シールレイアウトを表す複数の画像が表示される。左側の利用者は、領域５２１−１に表示される画像の中から好みのシールレイアウトの画像を選択し、選択領域５１１−１の下方に表示されるOKボタン５２２−１を操作してシールレイアウトを決定する。
【０２３３】
一方、選択領域５１１−２の左方には、右側の利用者が選択しているシールレイアウトを表す画像５２３−２が表示される。選択領域５１１−２の右方の領域５２１−２には、シールレイアウトを表す複数の画像が表示される。右側の利用者は、領域５２１−２に表示される画像の中から好みのシールレイアウトの画像を選択し、選択領域５１１−２の下方に表示されるOKボタン５２２−２を操作してシールレイアウトを決定する。
【０２３４】
以上のようにして選択されたシールレイアウトに従って、編集済み画像がシール紙にプリントされる。なお、２人用コースの場合、図３５に示すように選択領域５１１−１と選択領域５１１−２の２つの領域を用いて２人の利用者により並行してシールレイアウトの選択が行われるが、３人用コースの場合、または４人用ワイドコースの場合、１つの領域の表示を３人、または４人で用いてシールレイアウトの選択が行われる。
【０２３５】
［シールレイアウトの例］
図３６は、２人用コース選択時のシールレイアウトの第１の例を示す図である。
【０２３６】
図３６の例においては、シール紙５３１は縦向きに用いられる。シール紙５３１には、周囲に余白を残してほぼ上半分に１枚の画像がプリントされ、その下に、縦に２枚ずつ、横に３枚ずつ並べて６枚の画像がプリントされる。上述したように、２人用コースの場合、トリミングによって縦：横の比が約1:1.2の画像が切り出される。シール紙５３１にプリントされる各画像も縦：横の比が約1:1.2の画像となる。
【０２３７】
なお、図３６においてはプリントされている画像が全て２人の利用者が写る同じ画像とされているが、実際には、撮影され、編集が施された６種類の画像がシール紙５３１に並べてプリントされる。また、シールレイアウトの選択画面において６種類の画像の中から選択された１種類の画像が、シール紙５３１に大きくプリントされる。図３７においても同様である。
【０２３８】
また、シール紙にプリントされる画像は編集済みの画像であるから、実際には、人物だけでなく、手書きの文字や画像が入力された画像がプリントされる。人物の画像の背景には色や柄が現れる。シールレイアウトを示す他の図においても同様である。
【０２３９】
図３７は、２人用コース選択時のシールレイアウトの第２の例を示す図である。
【０２４０】
図３７の例においては、シール紙５３２は横向きに用いられる。シール紙５３２には、周囲に余白を残してほぼ左半分に１枚の画像がプリントされ、その右側に、縦に３枚ずつ、横に２枚ずつ並べて６枚の画像がプリントされる。シール紙５３２にプリントされる各画像も縦：横の比が約1:1.2の画像となる。
【０２４１】
図３８は、３人用コース選択時のシールレイアウトの第１の例を示す図である。
【０２４２】
図３８の例においては、シール紙５３３は横向きに用いられる。シール紙５３３には縦に３等分するようにミシン目が形成される。３等分した１つの領域には、周囲に余白を残して、上側略３分の１の範囲に１枚の画像がプリントされ、その下に、縦に４枚ずつ、横に２枚ずつ並べて８枚の画像がプリントされる。上述したように、３人用コースの場合、トリミングによって縦：横の比が約3:4の画像が切り出される。シール紙５３２にプリントされる各画像も縦：横の比が約3:4の画像となる。
【０２４３】
なお、図３８においてはプリントされている画像が全て３人の利用者が写る同じ画像とされているが、実際には、撮影され、編集が施された６種類の画像がそれぞれ所定の位置にプリントされる。各画像の配置が上述したシールレイアウトの選択画面において選択される。図３９においても同様である。
【０２４４】
図３９は、３人用コース選択時のシールレイアウトの第２の例を示す図である。
【０２４５】
図３９の例においては、シール紙５３４は横向きに用いられる。シール紙５３４には、縦に６枚ずつ、横に６枚ずつ並べて３６枚の画像がプリントされる。シール紙５３４にプリントされる各画像も縦：横の比が約3:4の画像となる。同じ種類の画像が縦に並ぶようにして、画像１乃至６の６種類の画像がプリントされるようにしてもよい。
【０２４６】
また、左端の列には上から画像１，２，３，４，５，６の順にプリントされ、左から２列目には上から画像２，３，４，５，６，１の順にプリントされ、左から３列目には上から画像３，４，５，６，１，２の順にプリントされるといったように、順番をずらして６種類の画像がプリントされるようにしてもよい。この場合、左から４列目には上から画像４，５，６，１，２，３の順にプリントされ、左から５列目には上から画像５，６，１，２，３，４の順にプリントされ、右端の列には上から画像６，１，２，３，４，５の順にプリントされる。これにより、縦方向に１列を切り取った場合だけでなく、横方向に１行を切り取った場合でも、その切り取った範囲内に６種類の画像が含まれることになる。
【０２４７】
図４０は、４人用ワイドコース選択時のシールレイアウトの第１の例を示す図である。
【０２４８】
図４０の例においては、シール紙５３５は横向きに用いられる。シール紙５３３には縦に４等分するようにミシン目が形成される。４等分した１つの領域には、周囲に余白を残して、縦に５枚の画像が並べてプリントされる。上述したように、４人用ワイドコースの場合、トリミングによって縦：横の比が約9:16の画像が切り出される。シール紙５３５にプリントされる各画像も縦：横の比が約9:16の画像となる。
【０２４９】
なお、図４０においてはプリントされている画像が全て４人の利用者が写る同じ画像とされているが、実際には、撮影された４種類の画像がそれぞれ所定の位置にプリントされる。各画像の配置がシールレイアウトの選択画面において選択される。図４１においても同様である。
【０２５０】
図４１は、４人用ワイドコース選択時のシールレイアウトの第２の例を示す図である。
【０２５１】
図４１の例においては、シール紙５３６は縦向きに用いられる。シール紙５３１には、縦に２等分、横に２等分するようにミシン目が形成される。４等分した１つの領域には、周囲に余白を残して、ほぼ上半分に１枚の画像がプリントされ、その下に、縦に２枚ずつ、横に２枚ずつ並べて４枚の画像がプリントされる。
【０２５２】
このような撮影コースに応じた各種のシールレイアウトが編集を終えた利用者により選択される。
【０２５３】
＜変形例＞
複数の利用者の顔が大きく、かつ中央近傍に寄った状態で写る画像を撮影するためにライブビューを小さく表示させるようにしてもよい。例えば、図２４に示す表示領域４７１のサイズがライブビューの規定のサイズであるとすると、表示制御部３０３は、図２４に示す表示領域４７１のサイズより小さいサイズのライブビューを表示させる。
【０２５４】
ライブビューの表示が小さい場合、ライブビューを見て撮影を行っている利用者はその見づらさのためにタッチパネルモニタ９２に近づく。タッチパネルモニタ９２の上にカメラ９１が設けられていることから、利用者は自分の顔をカメラ９１に自然と近づけることになり、これにより、複数の利用者の顔が大きく、かつ中央近傍で寄った状態で写る画像を撮影することが可能になる。
【０２５５】
また、ライブビューや音声により、頭の高さをそろえるように誘導してもよい。この場合、トリミング処理部３０２は、撮影結果の画像に写る背景領域を検出し、画像の上方にある背景領域をその面積に応じた可変の幅でトリミングによって切り取る。
【０２５６】
撮影空間Ａ１内に置かれた椅子に利用者を座らせて撮影を行うようにしてもよい。この場合、複数の利用者の顔が中央近傍に寄っている画像を撮影することができるように、複数の椅子は寄せて設置される。
【０２５７】
また、撮影時に利用者につかませる手すりをタッチパネルモニタ９２の近くに設けるようにしてもよい。
【０２５８】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、汎用のパーソナルコンピュータなどにインストールされる。
【０２５９】
インストールされるプログラムは、光ディスク（CD-ROM(Compact Disc-Read Only Memory)，DVD(Digital Versatile Disc)等）や半導体メモリなどよりなる図１０に示されるリムーバブルメディア２０５に記録して提供される。また、ローカルエリアネットワーク、インターネットといった、有線または無線の伝送媒体を介して提供されるようにしてもよい。プログラムは、ROM２０６や記憶部２０２に、あらかじめインストールしておくことができる。
【０２６０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２６１】
本発明の実施の形態は、上述した実施の形態に限定されるものではなく、本発明の要旨を逸脱しない範囲において種々の変更が可能である。
【符号の説明】
【０２６２】
１  写真シール作成装置，  １１  撮影ユニット，  ２１  撮影部，  ２７  床材，  ９１  カメラ，  ９２  タッチパネルモニタ，  ２０２  記憶部，  ３０１  撮影制御部，  ３０２  トリミング処理部，  ３０３  表示制御部，  ３０４  画像管理部
【要約】
【課題】複数の利用者の顔付近がバランスよく写る画像を撮影することができるようにする。
【解決手段】本発明の撮影装置は、複数の利用者を被写体として撮影する撮影部と、撮影部により撮影された画像に基づいてライブビューを表示する表示部と、ライブビューの表示を制御し、顔が画像の中心近傍に寄った状態で写るように複数の利用者の位置を誘導する表示制御部と、複数の利用者の位置を誘導した後の所定のタイミングで撮影された画像を静止画像として記憶する記憶部とを備える。本発明は、利用者を被写体として撮影を行い、シール紙に印刷して提供する写真シール作成装置に適用することができる。
【選択図】図２４【図１】
0005527446.tif 000002
【図２】
0005527446.tif 000003
【図３】
0005527446.tif 000004
【図４】
0005527446.tif 000005
【図５】
0005527446.tif 000006
【図６】
0005527446.tif 000007
【図７】
0005527446.tif 000008
【図８】
0005527446.tif 000009
【図９】
0005527446.tif 000010
【図１０】
0005527446.tif 000011
【図１１】
0005527446.tif 000012
【図１２】
0005527446.tif 000013
【図１３】
0005527446.tif 000014
【図１４】
0005527446.tif 000015
【図１５】
0005527446.tif 000016
【図１６】
0005527446.tif 000017
【図１７】
0005527446.tif 000018
【図１８】
0005527446.tif 000019
【図１９】
0005527446.tif 000020
【図２０】
0005527446.tif 000021
【図２１】
0005527446.tif 000022
【図２２】
0005527446.tif 000023
【図２３】
0005527446.tif 000024
【図２４】
0005527446.tif 000025
【図２５】
0005527446.tif 000026
【図２６】
0005527446.tif 000027
【図２７】
0005527446.tif 000028
【図２８】
0005527446.tif 000029
【図２９】
0005527446.tif 000030
【図３０】
0005527446.tif 000031
【図３１】
0005527446.tif 000032
【図３２】
0005527446.tif 000033
【図３３】
0005527446.tif 000034
【図３４】
0005527446.tif 000035
【図３５】
0005527446.tif 000036
【図３６】
0005527446.tif 000037
【図３７】
0005527446.tif 000038
【図３８】
0005527446.tif 000039
【図３９】
0005527446.tif 000040
【図４０】
0005527446.tif 000041
【図４１】
0005527446.tif 000042